【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
gNBリソースプールのサブセットである複数のUE固有のアップリンク制御情報(UCI)リソースセットを示す無線リソース制御(RRC)構成をgNBから受信するステップであって、前記複数のUE固有のUCIリソースセットの各UE固有のUCIリソースセットは、前記複数のUE固有のUCIリソースセットのその他のUE固有のUCIリソースセットの各々と異なる、ステップと、
物理アップリンク制御チャネル(PUCCH)上で送信されるべきUCIに対するペイロードのサイズを前記UEにおいて決定するステップと、
前記UCIの前記ペイロードの前記サイズに少なくとも部分的に基づいて前記PUCCH上で前記UCIを送信するための複数のUE固有のリソースセットから、選択されるUE固有のUCIリソースセットを前記UEにおいて決定するステップと、
前記PUCCH上で前記選択されるUE固有のUCIリソースセットを介して前記UCIを送信するステップと
を含む、方法。
【請求項２】
対応する肯定応答(ACK)/否定応答(NACK)リソース構成を含む物理ダウンリンク制御チャネル(PDCCH)を前記gNBから受信するステップをさらに含み、
前記選択されるUE固有のUCIリソースセットを決定するステップが、前記ACK/NACKリソース構成に少なくとも部分的に基づいて決定するステップをさらに含む、請求項1に記載の方法。
【請求項３】
前記ACK/NACKリソース構成が確認応答リソースインジケータ(ARI)を含み、前記UCIが少なくとも1つの確認応答ACKまたはNACKを含む、請求項2に記載の方法。
【請求項４】
前記UE固有のリソースセットから前記1つまたは複数のACK/NACKリソースを決定することが、クロススロットスケジューリング情報に少なくとも部分的に基づいており、異なるスロットのPDCCHが、等しい値のARIを有する、請求項3に記載の方法。
【請求項５】
前記PDCCHを受信するステップが、複数の異なるフォーマットタイプのうちの1つを有する前記PDCCHを受信するステップを含み、前記複数のフォーマットタイプの各々が、前記複数のUE固有のリソースセットの異なるサブセットに対応し、前記選択されるUE固有のUCIリソースセットを決定するステップが、前記複数のフォーマットタイプのうちの前記1つに対応する前記複数のUE固有のリソースセットの前記サブセットから選択するステップをさらに含む、請求項2に記載の方法。
【請求項６】
前記選択されるUE固有のUCIリソースセットを決定するステップが、
前記複数のUE固有のリソースセットの各々に対するペイロードサイズを前記UEにおいて識別するステップと、
前記ペイロードサイズの範囲のうちのどれが前記UCIに対する前記ペイロードの前記サイズを含むかを識別するステップと、
前記UCIの前記ペイロードの前記サイズを含む対応するペイロードサイズ範囲を有するとして識別される前記複数のUE固有のリソースセットから、前記選択されるUE固有のUCIリソースセットを選択するステップとをさらに含む、請求項1に記載の方法。
【請求項７】
暗黙的マッピング、明示的マッピング、または暗黙的マッピングおよび明示的マッピングの組み合わせに基づいて前記選択されるUE固有のUCIリソースセット内で1つまたは複数のリソースを選択するステップをさらに含む、請求項6に記載の方法。
【請求項８】
前記選択されるUE固有のUCIリソースセット内の前記1つまたは複数のリソースが前記明示的マッピングに基づき選択される場合、
確認応答リソースインジケータ(ARI)を受信するステップと、
前記ARIに基づいて、前記選択されるUE固有のUCIリソースセット内の前記1つまたは複数のリソースにマッピングするステップとをさらに含む、請求項7に記載の方法。
【請求項９】
確認応答リソースインジケータ(ARI)を受信するステップと、
前記ARIに基づいて、前記選択されるUE固有のUCIリソースセット内の1つまたは複数のリソースを選択するステップとをさらに含む、請求項1に記載の方法。
【請求項１０】
確認応答リソースインジケータ(ARI)を受信するステップと、
同一スロットスケジューリングに対する前記選択されるUE固有のUCIリソースセット内の1つまたは複数のリソースの第1のグループ、またはクロススロットスケジューリングに対する前記選択されるUE固有のUCIリソースセット内の1つまたは複数のリソースの第2のグループを、前記ARIまたは暗黙的マッピングに基づいて選択するステップとをさらに含む、請求項1に記載の方法。
【請求項１１】
前記ARIがリソースインデックスを含み、
前記リソースインデックスに基づき、前記1つまたは複数のリソースに関連付けられたサブバンドを選択するステップをさらに含む、請求項10に記載の方法。
【請求項１２】
gNBリソースプールのサブセットである複数のUE固有のアップリンク制御情報(UCI)リソースセットを示す無線リソース制御(RRC)構成をgNBから受信するための手段であって、前記複数のUE固有のUCIリソースセットの各UE固有のUCIリソースセットは、前記複数のUE固有のUCIリソースセットのその他のUE固有のUCIリソースセットの各々と異なる、手段と、
物理アップリンク制御チャネル(PUCCH)上で送信されるべきUCIに対するペイロードのサイズを決定するための手段と、
前記UCIの前記ペイロードの前記サイズに少なくとも部分的に基づいて前記PUCCH上で前記UCIを送信するための複数のUE固有のリソースセットから、選択されるUE固有のUCIリソースセットを決定するための手段と、
前記PUCCH上で前記選択されるUE固有のUCIリソースセットを介して前記UCIを送信するための手段と
を含む、ユーザ機器(UE)。
【請求項１３】
gノードB(gNB)におけるワイヤレス通信の方法であって、
gNBリソースプールのサブセットである複数のUE固有のアップリンク制御情報(UCI)リソースセットを示す無線リソース制御(RRC)構成をUEに送信するステップであって、前記複数のUE固有のUCIリソースセットの各UE固有のUCIリソースセットは、前記複数のUE固有のUCIリソースセットのその他のUE固有のUCIリソースセットの各々と異なる、ステップと、
前記UCIのペイロードサイズに基づいて複数のUE固有のUCIリソースセットから前記UEによって選択されるUE固有のUCIリソースセットにおいてUCIを前記UEから受信するステップとを含む、方法。
【請求項１４】
gノードB(gNB)であって、
gNBリソースプールのサブセットである複数のUE固有のアップリンク制御情報(UCI)リソースセットを示す無線リソース制御(RRC)構成をUEに送信するための手段であって、前記複数のUE固有のUCIリソースセットの各UE固有のUCIリソースセットは、前記複数のUE固有のUCIリソースセットのその他のUE固有のUCIリソースセットの各々と異なる、手段と、
前記UCIのペイロードサイズに基づいて複数のUE固有のUCIリソースセットから前記UEによって選択されるUE固有のUCIリソースセットにおいてUCIを前記UEから受信するための手段とを含む、gノードB。
【請求項１５】
無線通信装置のプロセッサによって実行されたときに、前記無線通信装置に、請求項1から11および13のうちのいずれか一項に記載の方法を実行させるコンピュータ実行可能命令を含む、コンピュータ可読記録媒体。